(57)【特許請求の範囲】
【請求項１】
プリズムの光入射端面に複数取り付けられ、複数の色光を画像情報に応じて変調し、この変調した光を前記プリズムの光入射端面に出射する光変調装置の冷却構造であって、
前記プリズムの光入射端面に取り付けられるベース部材と、このベース部材に取り付けられ、前記光変調装置を支持する支持部材と、前記光変調装置を冷却するための軸流ファンである冷却ファンとを備え、
前記支持部材は、前記プリズムの光入射端面と光変調装置との間に形成される冷却空気の流路に対して平行に配置され、前記光変調装置の端部近傍を支持する一対の部材から構成されており、
前記冷却ファンと前記光変調装置との間には、当該冷却ファンからの冷却空気を所定の方向に導く導風部材が設けられ、
前記導風部材は、前記プリズムの光入射端面と前記光変調装置との間に前記冷却空気を案内する第１案内板と、前記光変調装置の画像形成領域面と直交する方向に延びる第２案内板とを備え、
前記第２案内板は、前記光変調装置の画像形成領域面の水平方向中心よりも前記冷却ファンから排出される渦巻き状の空気の上流側となる位置に配置され、前記冷却ファンからの空気に乱流を生じさせるものであることを特徴とする光変調装置の冷却構造。
【請求項２】
請求項１に記載の光変調装置の冷却構造において、
前記光変調装置の光出射側に偏光素子が設けられ、
前記ベース部材と前記光変調装置との間には、前記偏光素子を保持固定する偏光素子固定板が介装され、
前記偏光素子固定板は、前記偏光素子を、前記プリズムの光入射端面から所定の間隔を隔てた状態で保持固定することを特徴とする光変調装置の冷却構造。
【請求項３】
請求項１または２に記載の光変調装置の冷却構造において、
前記支持部材は、前記ベース部材に取り付けられる固定板と、前記光変調装置に取り付けられる光変調装置固定板と、前記固定板およびこの光変調装置固定板の間に介装されるスペーサとを備え、
これら固定板、光変調装置固定板、およびスペーサは、前記光変調装置の端部近傍に略平行配置されていることを特徴とする光変調装置の冷却構造。
【請求項４】
請求項３に記載の光変調装置の冷却構造において、
前記光変調装置固定板には、前記スペーサを案内する傾斜面が形成されていることを特徴とする光変調装置の冷却構造。
【請求項５】
請求項１から４の何れかに記載の光変調装置の冷却構造において、
前記導風部材は、前記光変調装置の数に応じて設けられ、
これら複数の導風部材は、一体に形成されていることを特徴とする光変調装置の冷却構造。
【請求項６】
請求項１〜請求項５のいずれかに記載の光変調装置の冷却構造を備えていることを特徴とするプロジェクタ。
【発明の詳細な説明】
【０００１】
【発明の属する技術分野】
本発明は、プリズムの光入射端面に取り付けられた光変調装置の冷却構造、およびこれを備えたプロジェクタに関するものである。
【０００２】
【背景技術】
従来より、複数色の光を画像情報に応じて変調する３つの光変調装置と、当該３つの光変調装置で変調された色光を合成するクロスダイクロイックプリズムと、このプリズムで合成された光を拡大投写する投写レンズとを備えたプロジェクタが利用されている。
このようなプロジェクタは、会議、学会、展示会等でのマルチメディアプレゼンテーションに広く利用され、必要に応じて他の場所に持ち込まれたり、終了後に他の場所に移して保管したりする場合もあるので、小型化が促進されている。
【０００３】
近年では、小型化に対応するとともに、構造の簡素化を図るために、プリズムの入射端面に光変調装置を取り付ける構成が採用されることがある。例えば、特開２０００−２２１５８８号公報に開示された構成では、３つの光変調装置を各々保持枠に保持し、保持枠の四隅部分に棒状部材を挿入して、棒状部材の先端部をクロスダイクロイックプリズムの光入射端面に接着剤で固定することで、クロスダイクロイックプリズムに光変調装置を取り付けるようにしている。
【０００４】
また、国際公開公報第ＷＯ９８／２７４５３号に開示された構成では、保持枠に保持した光変調装置を、枠体と楔形のスペーサを介してプリズムの入射端面に取り付けるようにしている。このとき、保持枠には、楔形のスペーサを案内するための案内部が形成される。
ここで、通常、光変調装置とプリズムの光入射端面との間には、当該光変調装置で変調された光を偏光する偏光板が設けられている。この偏光板は、接着剤等で直接プリズムの光入射端面に貼り付けられている。
【０００５】
このような偏光板は、ガラス基板に偏光フィルムが貼り付けられて形成されている。この偏光フィルムは、長年使用すると、プリズムや光変調装置を通過する光から発生する熱によって劣化することがあり、これに伴い投写される画質が劣化することがある。一方、光変調装置も熱に弱いので、冷却空気によって冷却する必要がある。これらのことから、偏光板、光変調装置等を効率的に冷却する手段として、プリズムの光入射端面と光変調装置との間に冷却空気を送り込むことが考えられている。
【０００６】
【発明が解決しようとする課題】
しかしながら、小型化の促進に伴い、プリズムと光変調装置との間には、僅かな隙間しか形成されていないので、例えば、プリズムの下方から吸気ファン等で冷却空気を送り込んでも、当該プリズムと光変調装置との間に入り込む空気の量が少ないため、偏光板および光変調装置等を効率的に冷却することが困難であるという問題がある。
また、プリズムの下方に配置する吸気ファンとしては、通常、軸流ファンが採用される。この軸流ファンから排出される冷却空気は、渦巻き状に流れるため、冷却空気は、光変調装置表面を斜め上方に向かって吹き付けることとなり、当該光変調装置表面を一様に冷却することが困難であるという問題がある。
【０００７】
本発明の目的は、偏光板、光変調装置等を効率的に冷却することが可能な光変調装置の冷却構造、およびこれを備えたプロジェクタを提供することにある。
【０００８】
【課題を解決するための手段】
本発明の光変調装置の冷却構造は、プリズムの光入射端面に複数取り付けられ、複数の色光を画像情報に応じて変調し、この変調した光を前記プリズムの光入射端面に出射する光変調装置の冷却構造であって、前記プリズムの光入射端面に取り付けられるベース部材と、このベース部材に取り付けられ、前記光変調装置を支持する支持部材と、前記光変調装置を冷却するための軸流ファンである冷却ファンとを備え、前記支持部材は、前記プリズムの光入射端面と光変調装置との間に形成される冷却空気の流路に対して平行に配置され、前記光変調装置の端部近傍を支持する一対の部材から構成されており、前記冷却ファンと前記光変調装置との間には、当該冷却ファンからの冷却空気を所定の方向に導く導風部材が設けられ、前記導風部材は、前記プリズムの光入射端面と前記光変調装置との間に前記冷却空気を案内する第１案内板と、前記光変調装置の画像形成領域面と直交する方向に延びる第２案内板とを備え、前記第２案内板は、前記光変調装置の画像形成領域面の水平方向中心よりも前記冷却ファンから排出される渦巻き状の空気の上流側となる位置に配置され、前記冷却ファンからの空気に乱流を生じさせるものであることを特徴とする。
【０００９】
ここで、複数の光変調装置としては、例えば、赤色、緑色および青色の光束を変調する３つの光変調装置が考えられ、これらを前述のプリズムの光入射端面に取り付ける構造としては、例えば、当該光変調装置を、ねじやスペーサによってプリズムの光入射端面に取り付けるなどの、プリズムの光入射端面と光変調装置との間の隙間が小さくなりがちになる構造が挙げられる。
【００１０】
このような本発明によれば、光変調装置を支持する支持部材を、プリズムの光入射端面と光変調装置との間に形成される冷却空気の流路に対して平行に配置され、光変調装置の端部近傍を支持する一対の部材から構成することにより、冷却空気の流路に面するプリズムの光入射端面と光変調装置との間の隙間を大きくすることができるので、冷却流路方向に、偏光板、光変調装置等を冷却するのに十分な冷却空気を流すことが可能となる。これにより、偏光板、光変調装置等を効率的に冷却することが可能となる。
また、冷却ファンからの冷却空気を、第１案内板によって、プリズムの光入射端面と光変調装置との間に案内するようにすれば、当該冷却ファンからの冷却空気を、プリズムの光入射端面と光変調装置との間の隙間に確実に導くことが可能となるので、偏光板、光変調装置等をより一層効率的に冷却することが可能となる。
ここで、プリズムの下方に配置する冷却ファンとしては、軸流ファンが採用される。この軸流ファンから排出される空気は、渦巻き状に流れるため、冷却空気は、光変調装置表面を斜め上方に向かって吹き付ける形となってしまい、光変調装置の角隅部分等に冷却空気を送ることが困難な部分が生じる。
しかし、第２案内板を備えていれば、当該第２案内板で冷却ファンからの空気に乱流を生じさせることが可能となるので、光変調装置の画像形成領域面全体を均一に冷却することが可能となる。さらに、第２案内板を、画像形成領域面の水平方向中心よりも、冷却ファンから排出される渦巻き状の空気の上流側となる位置に配置すれば、光変調装置の画像形成領域面全体をより均一に、かつ、より効率的に冷却することが容易に可能となる。
【００１１】
また、前述の光変調装置の光出射側には偏光素子が設けられ、ベース部材と光変調装置との間には、この偏光素子を保持固定する偏光素子固定板が介装され、偏光素子固定板は、偏光素子を、プリズムの光入射端面から所定の間隔を隔てた状態で保持固定することが望ましい。
このようにすれば、偏光素子と光変調装置との間だけでなく、偏光素子とプリズムの光入射端面との間にも十分な冷却空気を流すことが可能となり、これにより、偏光素子の両面を効率的に冷却することが可能となる。
【００１２】
以上において、前述の支持部材は、ベース部材に取り付けられる固定板と、光変調装置に取り付けられる光変調装置固定板と、固定板およびこの光変調装置固定板の間に介装されるスペーサとを備え、これら固定板、光変調装置固定板、およびスペーサは、光変調装置の端部近傍に略平行配置されていることが好ましい。
このようにすれば、前記のように、冷却空気の流路に面するプリズムの光入射端面と光変調装置との間の隙間を大きくすることができるので、冷却効率を向上させることができるうえ、端部に挿入される一対のスペーサの挿入量を変更するだけで、光変調装置のフォーカスアライメント調整を行うことが可能となる。
【００１３】
さらに、前述の光変調装置固定板には、スペーサを案内する傾斜面が形成されていることが好ましい。
このようにすれば、傾斜面に沿ってスペーサの挿入量を調整すればよいので、光変調装置のフォーカスアライメント調整を容易に行うことが可能となる。
【００１７】
また、前述の導風部材は、前記光変調装置の数に応じて設けられ、これら複数の導風部材は、一体に形成されていることが望ましい。
このようにすれば、各光変調装置に応じて個別に導風部材を設ける場合に比べて、簡単に設けることが可能となり、これにより、導風部材の光変調装置への組立作業を容易に行うことが可能となる。
【００１８】
さらに、本発明は、前記のような光変調装置の冷却構造だけでなく、この光変調装置の冷却構造を備えたプロジェクタとしても成立し、同様の作用効果を得ることができる。
【００１９】
また、本発明の光変調装置取付ユニットは、プリズムの光入射端面に光変調装置を取り付けるための光変調装置取付ユニットであって、前記光変調装置を保持する保持枠と、前記プリズムの光入射端面に取り付けられるベース部材と、前記ベース部材および前記保持枠の間に取り付けられる一対の支持部材とを備え、前記支持部材は、前記光変調装置の端部近傍を支持する一対の部材から構成されていることを特徴とする。
【００２０】
ここで、複数の光変調装置としては、例えば、赤色、緑色および青色の光束を変調する３つの光変調装置が考えられる。
このような本発明によれば、光変調装置を支持するベース部材および前記保持枠の間に取り付けられる支持部材を設けたので、プリズムの光入射端面と光変調装置との間の隙間を大きくすることができ、偏光板、光変調装置等を冷却するのに十分な冷却空気を流すことが可能となる。これにより、偏光板、光変調装置等を効率的に冷却することが可能となる。
【００２１】
また、前述の光変調装置の光出射側には偏光素子が設けられ、ベース部材と光変調装置との間には、この偏光素子を保持固定する偏光素子固定板が介装され、偏光素子固定板は、偏光素子を、プリズムの光入射端面から所定の間隔を隔てた状態で保持固定することが望ましい。
このようにすれば、偏光素子と光変調装置との間だけでなく、偏光素子とプリズムの光入射端面との間にも十分な冷却空気を流すことが可能となり、これにより、偏光素子の両面を効率的に冷却することが可能となる。
【００２２】
以上において、前述の支持部材は、ベース部材に取り付けられる固定板と、光変調装置に取り付けられる光変調装置固定板と、固定板およびこの光変調装置固定板の間に介装されるスペーサとを備えていることが好ましい。このようにすれば、プリズムの光入射端面と光変調装置との間の隙間を大きくすることができるので、冷却効率を向上させることができるうえ、一対のスペーサの挿入量を変更するだけで、光変調装置のフォーカスアライメント調整を行うことが可能となる。
【００２３】
さらに、前述の光変調装置固定板には、スペーサを案内する傾斜面が形成されていることが好ましい。
このようにすれば、傾斜面に沿ってスペーサの挿入量を調整すればよいので、光変調装置のフォーカスアライメント調整を容易に行うことが可能となる。さらに、国際公開公報第ＷＯ９８／２７４５３号に開示された構成では、保持枠に楔形のスペーサを案内するための案内部を形成するため、保持枠の構造が複雑となり、製造コストが割高になるという問題があるが、上記のような構成とすれば、保持枠にスペーサを案内するための案内部を形成する必要が無いため、製造コストの低減を図ることが可能となる。
【００２４】
さらに、本発明は、前記のような光変調装置取付ユニットだけでなく、これを備えたプロジェクタとしても成立し、同様の作用効果を得ることができる。
【００２５】
このとき、光変調装置を冷却するための冷却ファンを備え、冷却ファンと光変調装置との間には、当該冷却ファンからの冷却空気を所定の方向に導く導風部材が設けられ、導風部材は、プリズムの光入射端面と光変調装置との間に冷却空気を案内する第１案内板を備えていることが望ましい。
このように、冷却ファンからの冷却空気を、第１案内板によって、プリズムの光入射端面と光変調装置との間に案内するようにすれば、当該冷却ファンからの冷却空気を、プリズムの光入射端面と光変調装置との間の隙間に確実に導くことが可能となるので、偏光板、光変調装置等をより一層効率的に冷却することが可能となる。
【００２６】
さらに、前述の導風部材は、光変調装置の画像形成領域面と直交する方向に延びる第２案内板を備えていることが好ましい。
ここで、プリズムの下方に配置する冷却ファンとしては、通常、軸流ファンが採用される。この軸流ファンから排出される空気は、渦巻き状に流れるため、冷却空気は、光変調装置表面を斜め上方に向かって吹き付ける形となってしまい、光変調装置の角隅部分等に冷却空気を送ることが困難な部分が生じる。
【００２７】
しかし、第２案内板を備えていれば、当該第２案内板で冷却ファンからの空気に乱流を生じさせることが可能となるので、光変調装置の画像形成領域面全体を均一に冷却することが可能となる。さらに、第２案内板を、画像形成領域面の水平方向中心よりも、冷却ファンから排出される渦巻き状の空気の上流側となる位置に配置すれば、光変調装置の画像形成領域面全体をより均一に、かつ、より効率的に冷却することが容易に可能となる。
【００２８】
また、前述の導風部材は、前記光変調装置の数に応じて設けられ、これら複数の導風部材は、一体に形成されていることが望ましい。
このようにすれば、各光変調装置に応じて個別に導風部材を設ける場合に比べて、簡単に設けることが可能となり、これにより、導風部材の光変調装置への組立作業を容易に行うことが可能となる。
【００２９】
【発明の実施の形態】
以下に本発明の実施の形態を図面に基づいて説明する。
〔１．プロジェクタの主な構成〕
図１は、本実施形態に係るプロジェクタ１を上方から見た全体斜視図、図２は、プロジェクタ１を下方から見た全体斜視図、図３は、プロジェクタ１の内部を示す斜視図である。
プロジェクタ１は、光源としての光源装置から出射された光束を赤（Ｒ）、緑（Ｇ）、青（Ｂ）の三原色に分離し、これらの各色光束を、電気光学装置を構成する光変調装置である液晶パネルを通して画像情報に対応させて変調し、変調した後の各色の変調光束をクロスダイクロイックプリズムにより合成して、投写レンズ４６を介して投写面上に拡大表示する形式のものである。各構成部品は外装ケース２の内部に収納されているが、投写レンズ４６はそのズーム機構により、必要に応じて外装ケース２から突没可能に設けられている。
【００３０】
図１ないし図３において、プロジェクタ１は、筐体である外装ケース２と、外装ケース２内に収容された電源ユニット３と、同じく外装ケース２内に配置された平面Ｌ字形の光学ユニット４とを備え、全体略直方体形状となっている。
【００３１】
外装ケース２は、基本的には、装置上面を覆う板金製のアッパーケース２１と、装置底面を構成するマグネシウム等のダイキャスト製のロアーケース２３と、アッパーケース２１およびロアーケース２３間に介装配置され、装置側面を覆うアルミニウムあるいは鉄板等を曲げ加工したミドルケース２２とから構成されている。これらのケース２１、２２、２３は、互いにネジで固定されている。
【００３２】
アッパーケース２１は、上面部２１１およびその周囲に設けられた側面部２１２で形成され、例えば金型を用いてプレス等で成形加工される。また、側面部２１２のフロント部２１１Ａ側には、投写レンズ４６を取り付けるレンズ取付け枠２４に対応する丸孔開口２１１Ｄが設けられ、丸孔開口２１１Ｄの周辺は絞り加工によって内部側に湾曲している。さらに、側面部２１２のフロント部２１１Ａと直交する一側面には、切欠き部２１１Ｃ（図２参照）が形成されている。
また、アッパーケース２１の上面部２１１の投写レンズ４６側には、プロジェクタ１の画質等を調整するための操作スイッチ２Ｂが設けられている。この操作スイッチ２Ｂの両側方には、スピーカ用の多数の孔２Ｃが穿設されている。
【００３３】
ミドルケース２２は、前述のようにアルミニウム板等を曲げ加工して成形されたものであり、投写レンズ４６を挟んで左右に配置される第１ケース部材２２Ａ、および第２ケース部材２２Ｂと、第１ケース部材２２Ａの背面側の第３ケース部材２２Ｃとを含んで形成され、第１ケース部材２２Ａと第３ケース部材２２Ｃとの間には、内部に配置されたインターフェース基板９２に設けられたインターフェース用の種々のコネクタが露出されるインターフェース露出部材２２Ｄが配置・接続され、第２ケース部材２２Ｂと第３ケース部材２２Ｃとの間には、ランプカバー２２Ｅが開閉可能に設けられている。
【００３４】
各ケース部材２２Ａ，２２Ｂ，２２Ｃは、プレスやマシニングセンタ等で打ち抜かれた所定形状のアルミニウム板等を適宜曲げ加工することで、前記アッパーケース２１およびロアーケース２３と組合わされる形状とされている。
【００３５】
第１ケース部材２２Ａの前面側に形成されるフロント２２１Ａと、第２ケース部材２２Ｂとの間には、前記レンズ取付け枠２４に対応する開口（図略）が形成されている。また、第２ケース部材２２Ｂのフロント２２１Ａ側には、図示しない開口部が形成されており、この開口部は、レンズ取付け枠２４に形成されている排気口２４Ａと対向している。
【００３６】
そして、このレンズ取付け枠２４は、ミドルケース２２に取り付けられることにより、当該ミドルケース２２を構成している。なお、排気口２４Ａの周囲には、例えばプラスチック製のカバー２４０が貼り付けられている。
また、第２ケース部材２２Ｂには、ロアーケース２３側からアッパーケース２１側に向かって所定寸法延び、かつ、互いが所定寸法離れたハンドル用開口２２１Ｂが設けられ、これらの開口２２１Ｂには、プロジェクタ１を持ち運ぶ際に使用するハンドル８０が取り付けられている。
【００３７】
ランプカバー２２Ｅは、図２に示すように、例えば、第２ケース部材２２Ｂ側にねじ等のつまみ部材８１を有するとともに、第３ケース部材２２Ｃの端縁に係合されている。このつまみ部材８１は、Ｅリングを介して第２ケース部材２２Ｂに形成されている図示しないナットに螺合されている。つまみ部材８１を回してナットとの螺合を解除すると、螺合していた分だけ、つまみ部材８１がランプカバー２２Ｅより外に飛び出す。そして、このつまみ部材８１を掴んで、ランプカバー２２Ｅを、プロジェクタ１の側面に沿ってスライドさせると、当該ランプカバー２２Ｅを外すことができるようになっている。なお、つまみ部材８１は、Ｅリングで支持されているため、ナットとの螺合を解除しても、ランプカバー２２Ｅからは外れない構造となっている。
【００３８】
ロアーケース２３は、前述のように、マグネシウム等のダイキャスト製とされ、略長方形状の底面部２３１およびその周囲の側面部２３２が一体形成されている。内部には、所定箇所に適宜補強リブ等が設けられ、ロアーケース２３全体の強度が確保されている。
【００３９】
このようなロアーケース２３において底面部２３１の前方の両隅部分には、プロジェクタ１全体の傾きを調整して投写画像の位置合わせを行う高さ位置調整機構７が設けられている。これに対して底面部２３１の後方側中央部には、樹脂製のフット部材６（図２）が嵌合している。なお、高さ位置調整機構７は、ダイヤル部分を回転させたり、レバーを操作したりすることで突出方向に進退する構成であり、その進退量を調整することによって表示画面の高さや傾きを変更することが可能である。
また、ロアーケース２３の底面部２３１には、ファンカバー２３５が取り付けられている。さらに、ロアーケース２３のフロント部２３２Ａには、レンズ取付け枠２４に対応して丸孔開口２３２Ｄが設けられている。
【００４０】
このような外装ケース２には、内部に冷却空気を取り入れるための吸気孔２Ａ、冷却後の空気を排出するための排気口２４Ａ、操作スイッチ２Ｂ、スピーカの位置に対応した多数の孔２Ｃ、ハンドル用開口２２１Ｂ等が設けられている。なお、ハンドル用開口２２１Ｂからも、内部に冷却空気が取り入れられるようになっている。
【００４１】
電源ユニット３は、図３，５に示すように、外装ケース２内の底面側に配置された図示しない主電源、および主電源の後方に配置されたバラストで構成されている。主電源は、電源ケーブルを通して供給された電力をバラストや図示しないドライバーボード等に供給するものであり、前記電源ケーブルが差し込まれるインレットコネクタ３３（図３）、周囲を囲むアルミニウム製の図示しないフレームおよび電源回路等を備えている。
【００４２】
バラストは、電力を主に光学ユニット４の光源である光源ランプ４１１（図４）に供給するものであり、図示しない光源駆動回路であるランプ駆動回路を備えている。また、このランプ駆動回路の装置前面側には、プロジェクタ１内部に空気を取り入れる冷却ファンである軸流吸気ファン７０が設けられている。
光学ユニット４は、図４に示すように、光源ランプ４１１から出射された光束を、光学的に処理して画像情報に対応した光学像を形成するユニットであり、インテグレータ照明光学系４１、色分離光学系４２、リレー光学系４３、電気光学装置４４、色合成光学系としてのクロスダイクロイックプリズム４５、および投写光学系としての投写レンズ４６を備えている。
【００４３】
〔２．光学系の詳細な構成〕
図４において、インテグレータ照明光学系４１は、電気光学装置４４を構成する３枚の液晶パネル４４１（赤、緑、青の各色光毎にそれぞれ液晶パネル４４１Ｒ，４４１Ｇ，４４１Ｂと示す）の画像形成領域をほぼ均一に照明するための光学系であり、光源装置４１３と、ＵＶフィルタ４１８と、光束分割素子としての第１レンズアレイ４１４と、第２レンズアレイ４１６と、偏光変換素子４１５と、重畳レンズ４１９と、反射ミラー４２４とを備えている。
【００４４】
インテグレータ照明光学系４１を構成する光源装置４１３は、放射状の光線を出射する放射光源としての光源ランプ４１１と、この光源ランプ４１１から出射された放射光を反射するリフレクタ４１２とを有する。光源ランプ４１１としては、ハロゲンランプやメタルハライドランプ、または高圧水銀ランプが用いられることが多い。リフレクタ４１２としては、放物面鏡を用いるが、楕円面鏡と平行化レンズ（凹レンズ）とを用いてもよい。
【００４５】
第１レンズアレイ４１４は、光軸方向から見てほぼ矩形状の輪郭を有する小レンズ４１４Ａがマトリクス状に配列された構成を有している。各小レンズ４１４Ａは、光源ランプ４１１から出射されてＵＶフィルタ４１８を通る光束を、複数の部分光束に分割している。各小レンズ４１４Ａの輪郭形状は、液晶パネル４４１の画像形成領域の形状とほぼ相似形をなすように設定されている。たとえば、液晶パネル４４１の画像形成領域のアスペクト比（横と縦の寸法の比率）が４：３であるならば、各小レンズ４１４Ａのアスペクト比も４：３に設定する。
【００４６】
第２レンズアレイ４１６は、第１レンズアレイ４１４とほぼ同様な構成を有しており、小レンズ４１６Ａがマトリクス状に配列された構成を有している。この第２レンズアレイ４１６は、重畳レンズ４１９とともに、第１レンズアレイ４１４の各小レンズ４１４Ａの像を液晶パネル４４１上に結合させる機能を有している。
【００４７】
偏光変換素子４１５は、第２レンズアレイ４１６と重畳レンズ４１９との間に配置されるとともに、第２レンズアレイ４１６からの光を１種類の偏光光に変換するものであり、これにより、電気光学装置４４での光の利用効率が高められている。
【００４８】
具体的に、偏光変換素子４１５によって１種類の偏光光に変換された各部分光は、重畳レンズ４１９によって電気光学装置４４の液晶パネル４４１Ｒ，４４１Ｇ，４４１Ｂ上にほぼ重畳される。偏光光を変調するタイプの液晶パネル４４１では、１種類の偏光光しか利用できないため、偏光変換素子４１５を用いないと、光源ランプ４１１からの光のほぼ半分が利用されなくなってしまう。
【００４９】
そこで、偏光変換素子４１５を用いることにより、光源ランプ４１１からの出射光を全て１種類の偏光光に変換し、電気光学装置４４での光の利用効率を高めている。なお、このような偏光変換素子４１５は、たとえば特開平８−３０４７３９号公報等に紹介されている。
【００５０】
色分離光学系４２は、２枚のダイクロイックミラー４２１，４２２と、反射ミラー４２３とを備え、ミラー４２１、４２２によりインテグレータ照明光学系４１から出射された複数の部分光束を赤、緑、青の３色の色光に分離する機能を有している。
【００５１】
リレー光学系４３は、入射側レンズ４３１、リレーレンズ４３３、および反射ミラー４３２、４３４を備え、色分離光学系４２で分離された色光のうち、青色光を液晶パネル４４１Ｂまで導く機能を有している。
【００５２】
この際、色分離光学系４２のダイクロイックミラー４２１では、インテグレータ照明光学系４１から射出された光束の青色光成分と緑色光成分とが反射するとともに、赤色光成分が透過する。ダイクロイックミラー４２１によって透過した赤色光は、反射ミラー４２３で反射し、フィールドレンズ４１７を通って赤色用の液晶パネル４４１Ｒに達する。このフィールドレンズ４１７は、第２レンズアレイ４１６から射出された各部分光束をその中心軸（主光線）に対して平行な光束に変換する。他の液晶パネル４４１Ｇ、４４１Ｂの前に設けられたフィールドレンズ４１７も同様である。
【００５３】
ダイクロイックミラー４２１で反射した青色光と緑色光のうちで、緑色光はダイクロイックミラー４２２によって反射し、フィールドレンズ４１７を通って緑色用の液晶パネル４４１Ｇに達する。一方、青色光はダイクロイックミラー４２２を透過してリレー光学系４３を通り、さらにフィールドレンズ４１７を通って青色光用の液晶パネル４４１Ｂに達する。なお、青色光にリレー光学系４３が用いられているのは、青色光の光路の長さが他の色光の光路長さよりも長いため、光の拡散等による光の利用効率の低下を防止するためである。すなわち、入射側レンズ４３１に入射した部分光束をそのまま、フィールドレンズ４１７に伝えるためである。
【００５４】
電気光学装置４４は、３枚の光変調装置となる液晶パネル４４１Ｒ，４４１Ｇ，４４１Ｂを備え、これらは、例えば、ポリシリコンＴＦＴをスイッチング素子として用いたものであり、色分離光学系４２で分離された各色光は、これら３枚の液晶パネル４４１Ｒ，４４１Ｇ，４４１Ｂによって、画像情報に応じて変調されて光学像を形成する。また、各液晶パネル４４１Ｒ，４４１Ｇ，４４１Ｂの光入射側および光出射側にそれぞれ偏光吸収軸の方向が異なる一対の偏光板４４５、４４６が設けられている。
【００５５】
クロスダイクロイックプリズム４５は、３枚の液晶パネル４４１Ｒ，４４１Ｇ，４４１Ｂから出射され、変調された画像を合成してカラー画像を形成するものである。なお、プリズム４５には、赤色光を反射する誘電体多層膜と青色光を反射する誘電体多層膜とが、４つの直角プリズムの界面に沿って略Ｘ字状に形成され、これらの誘電体多層膜によって３つの色光が合成される。そして、プリズム４５で合成されたカラー画像は、投写レンズ４６から出射され、スクリーン上に拡大投写される。
【００５６】
以上説明した各光学要素４１〜４５は、図３および図５に示すように、シールド板９１が被せられたメインボード９０の下方に配置されており、これら光学要素４１〜４５のうち、電気光学装置４４およびクロスダイクロイックプリズム４５以外の光学ユニット４の光学素子は、合成樹脂または金属製の光学部品用筐体である下ライトガイド４７（図５）および図示しない上ライトガイドの間に挟まれて保持された構成となっている。すなわち、この下ライトガイド４７には、光源装置４１３を覆う光源保護部４７１の他、前述の各光学部品４１４〜４１９，４２１〜４２４，４３１〜４３４を上方からスライド式に嵌め込む溝部がそれぞれ設けられている。
尚、これらの上ライトガイド、下ライトガイド４７は、一体とされて、ロアーケース２３の側に固定ネジにより固定されている。また、これらの上ライトガイド、下ライトガイド４７は、クロスダイクロイックプリズム４５の側に同じく固定ネジによって固定されている。
【００５７】
また、下ライトガイド４７内における光出射側には、ヘッド部４９が形成されている。ヘッド部４９の一端側に液晶パネル４４１Ｒ，４４１Ｇ，４４１Ｂが取り付けられたプリズム４５が固定され、他端側の半円筒状部分に沿ったフランジ上に投写レンズ４６が固定されている。
【００５８】
〔３．液晶パネル取付ユニット〕
クロスダイクロイックプリズム４５への液晶パネル４４１Ｒ、４４１Ｇ、４４１Ｂの取付構造は、図６および図７に示されるように、各液晶パネル４４１Ｒ、４４１Ｇ、４４１Ｂが、クロスダイクロイックプリズム４５の光入射端面となる３つの側面と対向配置され、クロスダイクロイックプリズム４５の対向する面（光入射端面）に、パネル枠４５０とベース部材３０１と支持部材３１１とを介して取り付けられている。なお、パネル枠４５０、ベース部材３０１、支持部材３１１は、すべての液晶パネル４４１Ｒ、４４１Ｇ、４４１Ｂについて共通である。
【００５９】
パネル枠４５０は、液晶パネル４４１Ｒ、４４１Ｇ、４４１Ｂを各々光入射面側から保持する第１の枠４５１と、光射出側から保持する第２の枠４５２とを備えている。すなわち、各液晶パネル４４１Ｒ、４４１Ｇ、４４１Ｂは、第１の枠４５１と第２の枠４５２によって挟まれた状態となっている。パネル枠４５０は、樹脂または、マグネシウムやアルミニウムなどの金属によって形成することが可能である。２つの枠４５１，４５２のうち、一方を樹脂とし、他方を金属とすることも可能である。
【００６０】
ベース部材３０１は、クロスダイクロイックプリズム４５の光入射端面に接着剤等で取り付けられるものであり、中央部分に、各液晶パネル４４１Ｒ、４４１Ｇ、４４１Ｂの画像形成領域に応じた開口３０２を有し、四角枠状に形成されている。このベース部材３０１の四隅には、ねじ３５１が挿通するねじ挿通孔３０３が形成されている。ベース部材３０１は、例えば、亜鉛めっき鋼鈑などの金属によって形成することが可能である。
【００６１】
支持部材３１１は、液晶パネル４４１Ｒ、４４１Ｇ、４４１Ｂの両端部近傍を支持する一対の部材、すなわち、ベース部材３０１に取り付けられる一対の固定板３１２と、各液晶パネル４４１Ｒ、４４１Ｇ、４４１Ｂに取り付けられる一対の光変調装置固定板である液晶パネル固定板３１３と、これら固定板３１２および液晶パネル固定板３１３の間に介装される一対のスペーサ３１４とを備えて構成されている。これら一対の部材は、図６に示されるように、液晶パネル４４１Ｒ、４４１Ｇ、４４１Ｂの両端部近傍に略平行に配置されている。固定板３１２、３１３は、例えば、亜鉛めっき鋼鈑などの金属によって形成することが可能である。スペーサ３１４は、例えば、アクリル系樹脂などの樹脂によって形成することが可能である。
【００６２】
一対の固定板３１２は、それぞれ液晶パネル４４１Ｒ、４４１Ｇ、４４１Ｂの高さ方向に沿って延びるとともに、液晶パネル４４１Ｒ、４４１Ｇ、４４１Ｂの枠部分の幅寸法を有し、当該枠部分に沿って平面コ字形状に形成され、各液晶パネル４４１Ｒ、４４１Ｇ、４４１Ｂの両側端部に配置されている。この固定板３１２の長手方向中間部分には、スペーサ３１４が取り付けられる平面部分が形成されている。
また、この固定板３１２の高さ寸法は、ベース部材３０１の高さ寸法と略同じ寸法となっており、その上下方向両端部のベース部材３０１のねじ挿通孔３０３に応じた位置には、当該ねじ３５１が挿通するねじ挿通孔３１５が形成されている。
【００６３】
一対の液晶パネル固定板３１３は、それぞれ、当接部３１６と、延出部３１７とを備えて平面Ｔ字形状に形成されている。
当接部３１６は、液晶パネル４４１Ｒ、４４１Ｇ、４４１Ｂの高さ方向に沿って延びるとともに、液晶パネル４４１Ｒ、４４１Ｇ、４４１Ｂの枠部分の幅寸法を有し、当該枠部分に沿って平面コ字形状に形成され、液晶パネル４４１Ｒ、４４１Ｇ、４４１Ｂの両側端部に当接配置されている。
ここで、当接部３１６の高さ寸法は、液晶パネル４４１Ｒ、４４１Ｇ、４４１Ｂの高さ寸法と略同じ寸法となっており、その上下方向両端部の、液晶パネル４４１Ｒ、４４１Ｇ、４４１Ｂの四隅に形成された、ねじ３５２が挿通するねじ挿通孔４４２に対応した位置には、当該ねじ３５２が挿通するねじ挿通孔３１６Ａが形成されている。
【００６４】
延出部３１７は、この当接部３１６の長手方向中間部分から液晶パネル４４１Ｒ、４４１Ｇ、４４１Ｂと離間する方向に傾斜延出された傾斜面とされている。そして、液晶パネル４４１Ｒ、４４１Ｇ、４４１Ｂのねじ挿通孔４４２に、当接部３１６のねじ挿通孔３１６Ａを合わせ、接着剤を塗布したねじ３５２を挿通することにより、液晶パネル固定板３１３を、液晶パネル４４１Ｒ、４４１Ｇ、４４１Ｂに固定できるようになっている。
【００６５】
一対のスペーサ３１４は、それぞれ断面直角三角形状の三角柱状に形成され、各液晶パネル４４１Ｒ、４４１Ｇ、４４１Ｂの両側端部に配置されている。そして、その傾斜面が前述の傾斜面とされた延出部３１７の裏面に当接し、他の直交する二側面のうちの一側面が固定板３１２の平面部分に当接し、固定板３１２および液晶パネル固定板３１３の間に介装されている。
【００６６】
ここで、スペーサ３１４は、各液晶パネル４４１Ｒ、４４１Ｇ、４４１Ｂのフォーカスアライメント調整を行うためのものである。ここで、フォーカス調整とは、主に、各液晶パネル４４１Ｒ、４４１Ｇ、４４１Ｂを投写レンズ４６のバックフォーカス位置に正確に位置決めするための調整であり、アライメント調整とは、主に、各液晶パネル４４１Ｒ、４４１Ｇ、４４１Ｂを、これらの画素が一致するように位置決めするための調整である。このようなフォーカスアライメント調整は、具体的には、液晶パネル固定板３１３を取り付けた液晶パネル４４１Ｒ、４４１Ｇ、４４１Ｂをスペーサ３１４に仮止めし、傾斜面とされた延出部３１７に沿って当該スペーサ３１４の挿入量を調整（案内）することにより行われる。
【００６７】
また、前述の光出射側の偏光板４４６は、ベース部材３０１と固定板３１２との間に介装された偏光素子固定板３２１に接着剤等で保持固定されている。
偏光素子固定板３２１は、中央部分に、各液晶パネル４４１Ｒ、４４１Ｇ、４４１Ｂの画像形成領域に応じた開口３２２を有し、前記ベース部材３０１と略同じ大きさの四角枠状に形成されている。この偏光素子固定板３２１のベース部材３０１のねじ挿通孔３０３に応じた位置には、ねじ挿通孔３２３が形成されている。
つまり、前述のベース部材３０１、固定板３１２、およびこの偏光素子固定板３２１は、ねじ３５１で一体化されるようになっている。なお、偏光素子固定板３２１は、例えば、ステンレスなどの金属によって形成することが可能である。
【００６８】
ここで、クロスダイクロイックプリズム４５に液晶パネル４４１Ｒ、４４１Ｇ、４４１Ｂを取り付ける手順を簡単に説明する。まず、ベース部材３０１の所定位置に偏光板４４６が保持固定された偏光素子固定板３２１、および固定板３１２を重ね、各ねじ挿通孔３０３、３２３、３１５に、ねじ３５１を挿入し、当該偏光素子固定板３２１、および固定板３１２をベース部材３０１に固定する。この後、液晶パネル固定板３１３を液晶パネル４４１Ｒ、４４１Ｇ、４４１Ｂの所定位置に合わせ、各ねじ挿通孔３１６Ａ、４４２にねじ３５２を螺合し、当該液晶パネル固定板３１３を各液晶パネル４４１Ｒ、４４１Ｇ、４４１Ｂに固定する。
【００６９】
次に、スペーサ３１４の固定板３１２および液晶パネル固定板３１３に接する部分に、紫外線硬化型の接着剤を塗布し、当該スペーサ３１４を液晶パネル固定板３１３に当接する。この後、固定板３１２をスペーサ３１４に当接する。そして、弱い紫外線を照射してスペーサ３１４に、固定板３１２および液晶パネル固定板３１３を仮固定する。次に、この状態でスペーサ３１４の挿入量を調整し、液晶パネル４４１Ｒ、４４１Ｇ、４４１Ｂのフォーカスアライメント調整を行い、各液晶パネル４４１Ｒ、４４１Ｇ、４４１Ｂの位置を適切な位置に配置する。しかる後、強い紫外線を照射して液晶パネル４４１Ｒ、４４１Ｇ、４４１Ｂをクロスダイクロイックプリズム４５に固定する。
【００７０】
［４．液晶パネルの冷却構造］
上記のような構造によって液晶パネル４４１Ｒ、４４１Ｇ、４４１Ｂが取り付けられた直方体状のクロスダイクロイックプリズム４５は、図８〜図１１に示されるように、マグネシウムの一体成形品から構成される側面略Ｌ字状のヘッド部４９の裏面側に固定ネジにより固定されている。
詳しくは、ロアーケース２３のファンカバー２３５の上方には、側面Ｌ字形状のヘッド部４９の底面部４９Ａが配置され、このヘッド部４９の底面部４９Ａの上面側の略中央部分に、液晶パネル４４１Ｒ、４４１Ｇ、４４１Ｂが取り付けられたクロスダイクロイックプリズム４５が載置固定されている。
【００７１】
底面部４９Ａにおける、クロスダイクロイックプリズム４５が載置固定される部分の周囲には、開口が形成され、この開口には、底面部４９Ａ下方からの空気を所定の方向に導く複数の導風部材３３２を備えた導風装置３３１が設けられている。
【００７２】
底面部４９Ａの内部には、ファンカバー２３５から外部の空気を冷却空気として導入する冷却ファン３４１が収納されている。この冷却ファン３４１は、導風装置３３１と略同じ大きさを有し、平面四角形状に形成され、ヘッド部４９の底面部４９Ａにねじ等で固定されている。この冷却ファン３４１は、液晶パネル４４１Ｒ、４４１Ｇ、４４１Ｂ側に排出される空気が渦巻き状に流れる軸流ファンである。
液晶パネル４４１Ｒ、４４１Ｇ、４４１Ｂは、この冷却ファン３４１によって導入された空気によって冷却される。
【００７３】
前述した通り、支持部材３１１は、液晶パネル４４１Ｒ、４４１Ｇ、４４１Ｂの両端部近傍を支持する一対の部材（固定板３１２、液晶パネル固定板３１３、スペーサ３１４）から構成されており、この一対の部材は、クロスダイクロイックプリズム４５の光入射端面と液晶パネル４４１Ｒ、４４１Ｇ、４４１Ｂとの間に形成される冷却空気の流路に対して平行に配置されている。
【００７４】
また、偏光板４４６は、偏光素子固定板３２１により、クロスダイクロイックプリズム４５の光入射端面から所定の間隔を隔てた状態で保持固定されている。なお、所定の間隔とは、偏光板４４６とクロスダイクロイックプリズム４５の光入射端面との間に冷却空気の流路が形成される程度の間隔である。本実施形態では、図７に示されるように、下方から上方に冷却空気が通過する隙間３６０が形成されている。
【００７５】
このように、本実施形態のプロジェクタ１では、各液晶パネル４４１Ｒ、４４１Ｇ、４４１Ｂを前述の支持部材３１１、ベース部材３０１を介してクロスダイクロイックプリズム４５に取り付けることにより、冷却空気の流路に面するクロスダイクロイックプリズム４５の光入射端面と各液晶パネル４４１Ｒ、４４１Ｇ、４４１Ｂとの間の隙間を大きくすることができるようになっている。
【００７６】
また、偏光素子固定板３２１で偏光板４４６をクロスダイクロイックプリズム４５の光入射端面から所定の間隔を隔てた状態で保持固定することで、偏光板４４６とクロスダイクロイックプリズム４５の光入射端面との間にも冷却空気の流路が形成されている。
ここで、液晶パネル４４１Ｒ、４４１Ｇ、４４１Ｂの周囲は、下ライトガイド４７およびヘッド部４９の底面部４９Ａの上面側で覆われており、これらがダクトを構成している。このため、冷却空気が液晶パネル４４１Ｒ、４４１Ｇ、４４１Ｂに導入されやすくなっている。
【００７７】
導風装置３３１は、冷却ファン３４１と液晶パネル４４１Ｒ、４４１Ｇ、４４１Ｂとの間に配置されている。また、導風装置３３１は、図１２にも示されるように、各液晶パネル４４１Ｒ、４４１Ｇ、４４１Ｂに応じて配置され、一体に形成された３個の導風部材３３２を備えて構成されている。
導風部材３３２は、冷却ファン３４１からの冷却空気を所定の方向に導くものであり、第１案内板３３３と、第２案内板３３４とを備え、平面十字形状に形成されている。
【００７８】
第１案内板３３３は、板状に形成され、平面視で液晶パネル４４１Ｒ、４４１Ｇ、４４１Ｂに略平行に設置されているとともに、液晶パネル４４１Ｒ、４４１Ｇ、４４１Ｂ側から外側（底面部４９Ａ周縁側）に向かって下方傾斜するように配置されている。これにより、冷却ファン３４１からの冷却空気が、クロスダイクロイックプリズム４５の光入射端面と液晶パネル４４１Ｒ、４４１Ｇ、４４１Ｂとの間に案内されるようになっている。
【００７９】
第２案内板３３４は、板状に形成され、第１案内板３３３の長手方向中間部分に、当該第１案内板３３３に直交するように嵌合配置されている。つまり、言い換えると、第２案内板３３４は、液晶パネル４４１Ｒ、４４１Ｇ、４４１Ｂの画像形成領域面と直交する方向に延びて設けられている。
ここで、第２案内板３３４の第１案内板３３３に取り付けられる位置は、液晶パネル４４１Ｒ、４４１Ｇ、４４１Ｂの画像形成領域面の水平方向中心位置（図１２の一点鎖線Ａ）よりも、冷却ファン３４１から排出される渦巻き状の空気の上流側となる位置に配置されている。これにより、冷却ファン３４１からの空気に乱流を生じさせ、液晶パネル４４１Ｒ、４４１Ｇ、４４１Ｂの画像形成領域面全体に冷却空気を吹き付けることが可能となっている。
【００８０】
つまり、導風部材３３２は、冷却ファン３４１からの冷却空気を、クロスダイクロイックプリズム４５の光入射端面および液晶パネル４４１Ｒ、４４１Ｇ、４４１Ｂの間と、液晶パネル４４１Ｒ、４４１Ｇ、４４１Ｂの画像形成領域全体とに吹き付けるように導くものである。
なお、図１２は、各導風部材３３２の形状・配置等を模式的に表したものであり、正確な形状、配置位置等、およびこれら導風部材３３２を備えて構成されている導風装置３３１の形状等は、図８〜図１１に準ずることは言うまでもない。
【００８１】
このような本実施形態によれば、次のような効果が得られる。
すなわち、液晶パネル４４１Ｒ、４４１Ｇ、４４１Ｂを支持する支持部材３１１を、クロスダイクロイックプリズム４５の光入射端面と各液晶パネル４４１Ｒ、４４１Ｇ、４４１Ｂとの間に形成される冷却空気の流路に対して平行に配置し、液晶パネル４４１Ｒ、４４１Ｇ、４４１Ｂの端部近傍を支持する一対の部材から構成したので、冷却空気の流路に面するクロスダイクロイックプリズム４５の光入射端面と各液晶パネル４４１Ｒ、４４１Ｇ、４４１Ｂとの間の隙間を大きくすることができる。このため、冷却流路方向に、偏光板４４６、液晶パネル４４１Ｒ、４４１Ｇ、４４１Ｂ等を冷却するのに十分な冷却空気を流すことができ、これにより、偏光板４４６、液晶パネル４４１Ｒ、４４１Ｇ、４４１Ｂ等を効率的に冷却することができる。
【００８２】
また、支持部材３１１を構成する固定板３１２、液晶パネル固定板３１３、およびスペーサ３１４を、液晶パネル４４１Ｒ、４４１Ｇ、４４１Ｂの端部近傍に略平行配置したので、冷却空気の流路に面するクロスダイクロイックプリズム４５の光入射端面と各液晶パネル４４１Ｒ、４４１Ｇ、４４１Ｂとの間の隙間を大きくすることができ、冷却効率を向上させることができるうえ、端部に挿入される一対のスペーサ３１４の挿入量を変更するだけで、液晶パネル４４１Ｒ、４４１Ｇ、４４１Ｂのフォーカスアライメント調整を行うことができる。
【００８３】
さらに、偏光素子固定板３２１で、偏光板４４６をクロスダイクロイックプリズム４５の光入射端面から所定の間隔を隔てた状態で保持固定したので、偏光板４４６と各液晶パネル４４１Ｒ、４４１Ｇ、４４１Ｂとの間だけでなく、偏光板４４６とクロスダイクロイックプリズム４５の光入射端面との間にも十分な冷却空気を流すことができ、これにより、偏光板４４６の両面を効率的に冷却することができる。
【００８４】
また、液晶パネル固定板３１３にスペーサ３１４を案内する傾斜面（延出部）を形成したので、傾斜面に沿ってスペーサ３１４の挿入量を調整すればよく、液晶パネル４４１Ｒ、４４１Ｇ、４４１Ｂのフォーカスアライメント調整を容易に行うことができる。
【００８５】
さらに、クロスダイクロイックプリズム４５の下方に、液晶パネル４４１Ｒ、４４１Ｇ、４４１Ｂを冷却するための冷却ファン３４１を備え、この冷却ファン３４１と液晶パネル４４１Ｒ、４４１Ｇ、４４１Ｂとの間に、当該冷却ファン３４１からの冷却空気を所定の方向に導く導風部材３３２を設け、導風部材３３２は、クロスダイクロイックプリズム４５の光入射端面と液晶パネル４４１Ｒ、４４１Ｇ、４４１Ｂとの間に冷却空気を案内する第１案内板３３３を備えているので、当該冷却ファン３４１からの冷却空気を、クロスダイクロイックプリズム４５の光入射端面と液晶パネル４４１Ｒ、４４１Ｇ、４４１Ｂとの間の隙間に確実に導くことができ、偏光板４４６、液晶パネル４４１Ｒ、４４１Ｇ、４４１Ｂ等をより一層効率的に冷却することができる。
【００８６】
また、導風部材３３２は、液晶パネル４４１Ｒ、４４１Ｇ、４４１Ｂの画像形成領域面と直交する方向に延びる第２案内板３３４を備えているので、当該第２案内板で冷却ファン３４１からの空気に乱流を生じさせることができ、液晶パネル４４１Ｒ、４４１Ｇ、４４１Ｂの画像形成領域面全体を均一に冷却することができる。さらに、第２案内板３３４を、画像形成領域面の水平方向中心よりも、冷却ファン３４１から排出される渦巻き状の空気の上流側となる位置に配置したので、液晶パネル４４１Ｒ、４４１Ｇ、４４１Ｂの画像形成領域面全体をより均一に、かつ、より効率的に冷却することが容易にできる。
【００８７】
また、導風部材３３２は、液晶パネル４４１Ｒ、４４１Ｇ、４４１Ｂの数に応じて設けられ、これら３個の導風部材３３２は、一体に形成されているので、各液晶パネル４４１Ｒ、４４１Ｇ、４４１Ｂに応じて個別に導風部材３３２を設ける場合に比べて、簡単に設けることができ、これにより、導風部材３３２の液晶パネル４４１Ｒ、４４１Ｇ、４４１Ｂへの組立作業を容易に行うことができる。
【００８８】
なお、本発明は前記実施の形態に限定されるものではなく、本発明の目的を達成できる他の構成等を含み、以下に示すような変形等も本発明に含まれる。
例えば、前記実施形態では、複数の導風部材を一体に形成したが、これに限らず、例えば、各液晶パネルの位置に応じて、吹き付ける冷却空気の方向を変えたい場合には、各液晶パネル４４１Ｒ、４４１Ｇ、４４１Ｂに応じて個別に導風部材を設けてもよい。
【００８９】
また、導風部材としては、例えば、各液晶パネルの位置や吹き付ける冷却空気の方向によって、第３案内板や第４案内板を備えていてもよく、導風部材の形状、構成は、実施に当たって適宜決めればよい。
【００９０】
さらに、前記実施形態では、光変調装置固定板に傾斜面を設けていたが、これに限らず、例えば、スペーサの形状が、一辺が斜面からなる角柱状であれば、水平面でもよい。
【００９１】
また、前記実施形態では、偏光板をクロスダイクロイックプリズムの光入射端面から所定の間隔を隔てた状態で保持固定したが、これに限らず、例えば、偏光板をクロスダイクロイックプリズムの光入射端面に隙間なく設けてもよい。
【００９２】
さらに、前記実施形態では、偏光素子固定板３２１で、偏光板４４６を保持固定するようにしていたが、偏光板以外の偏光素子を固定するようにしても良い。偏光板以外の偏光素子の例としては、位相差板や反射型偏光子が挙げられる。このようにすれば、偏光素子固定板３２１によって保持された偏光素子の両面を、効率的に冷却することができる。
【００９３】
さらに、支持部材としては、固定板、液晶パネル固定板、およびスペーサを備えて構成していたが、これに限らず、要するに、クロスダイクロイックプリズムの光入射端面と液晶パネルとの間に形成される冷却空気の流路に対して平行に配置され、液晶パネルの端部近傍を支持する一対の部材から構成されていればよく、その構成は実施に当たって適宜決めればよい。
【００９４】
また、偏光素子固定板は、支持部材と同様に一対の部材で構成してもよい。このようにすれば、クロスダイクロイックプリズムの光入射端面の冷却効率をより一層向上させることができる。
【００９５】
【発明の効果】
以上に述べたように、本発明の光変調装置の冷却構造およびプロジェクタによれば、プリズムの光入射端面に取り付けられるベース部材と、このベース部材に取り付けられ、光変調装置を支持する支持部材とを備え、支持部材を、プリズムの光入射端面と光変調装置との間に形成される冷却流路に対して平行に配置され、光変調装置の端部近傍を支持する一対の部材から構成したので、偏光板、光変調装置等を効率的に冷却することができるという効果がある。
【図面の簡単な説明】
【図１】本発明の一実施形態に係るプロジェクタを上方から見た全体斜視図である。
【図２】前記実施形態におけるプロジェクタを下方から見た全体斜視図である。
【図３】前記実施形態におけるプロジェクタの内部を示す全体斜視図である。
【図４】前記実施形態におけるプロジェクタの各光学系を模式的に示す平面図である。
【図５】前記実施形態におけるプロジェクタの光学ユニットの構成部品を示す斜視図である。
【図６】前記実施形態における液晶パネルの取付構造を示す分解斜視図である。
【図７】前記実施形態における液晶パネルの取付構造を示す断面図である。
【図８】前記実施形態におけるヘッド部を示す分解斜視図である。
【図９】前記実施形態におけるヘッド部を示す分解斜視図である。
【図１０】前記実施形態におけるヘッド部を示す分解斜視図である。
【図１１】前記実施形態におけるヘッド部を示す分解斜視図である。
【図１２】前記実施形態における導風部材の配置を示す平面模式図である。
【符号の説明】
１  プロジェクタ
４５  クロスダイクロイックプリズム
３０１  ベース部材
３１１  支持部材
３１２  固定板
３１３  液晶パネル固定板
３１４  スペーサ
３２１  偏光素子固定板
３３２  導風部材
３３３  第１案内板
３３４  第２案内板
３４１  冷却ファン
４４１Ｒ  液晶パネル
４４１Ｇ  液晶パネル
４４１Ｂ  液晶パネル
４４６  偏光板
【図１】
0003596504.tif 000002
【図２】
0003596504.tif 000003
【図３】
0003596504.tif 000004
【図４】
0003596504.tif 000005
【図５】
0003596504.tif 000006
【図６】
0003596504.tif 000007
【図７】
0003596504.tif 000008
【図８】
0003596504.tif 000009
【図９】
0003596504.tif 000010
【図１０】
0003596504.tif 000011
【図１１】
0003596504.tif 000012
【図１２】
0003596504.tif 000013